(57)【要約】【課題】比較的安価で容易に取り付けることができ、隙間風の吹込みや冷暖房効率の低下を防止できるペット用のドア開閉装置を提供する。【解決手段】開き戸のドアＤを備えた出入口の両側上部間に突っ張るように架設する装置本体１と、ドアＤの回動軸から離れた位置の上部に跨らせるように載せるワイヤー引掛具２と、これらを繋ぐワイヤー３とから構成する。装置本体１には、ドアＤの戸先寄りに対応する部分に位置するプッシュステー１１と、ワイヤー３に引張力を付与する引張ばね１２と、ワイヤー３の引き込み量を増大させる引込量拡大機構１３と、ワイヤー３の引き込みに伴うドアＤの閉止速度を緩速化する緩速化機構１４とを備える。プッシュステー１１の押込後のドアＤの開放方向への反発力は、ワイヤー３の引込力よりも大きく設定する。【選択図】図４
2019085701.tif 000002
【特許請求の範囲】
【請求項１】
開き戸のドアを備えた出入口の両側上部間に突っ張るように架設する装置本体(1)と、ドアの回動軸から離れた位置の上部に跨らせるように載せるワイヤー引掛具(2)と、前記装置本体(1)とワイヤー引掛具(2)を繋ぐワイヤー(3)とから成り、
前記装置本体(1)には、ドアの戸先寄りに対応する部分に位置するプッシュステー(11)と、前記ワイヤー(3)に引張力を付与する引張ばね(12)と、前記引張ばね(12)の引張力による前記ワイヤー(3)の引き込み量を増大させる引込量拡大機構(3)と、前記ワイヤー(3)の引き込みに伴うドアの閉止速度を緩速化する緩速化機構(14)とが備えられ、
前記プッシュステー(11)の押込後のドアの開放方向への反発力は、前記ワイヤー(3)の引込力よりも大きく設定されているペット用のドア開閉装置。
【請求項２】
前記引込量拡大機構(13)は、一列に並ぶ複数個のプーリー(13a,13b)のそれぞれの大径部(13a1,13b1)と小径部(13a2,13b2)にワイヤー(3)を段階的に巻き掛けた構成となっていることを特徴とする請求項１に記載のペット用のドア開閉装置。
【請求項３】
前記緩速化機構(14)は、揺動自在のアーム(14a)とダンパー(14b)とから成り、ドアの開度が所定角度より小さい範囲で、前記アーム(14a)の先端部がドアの表面に当接し、前記アーム(14a)の基部が前記ダンパー(14b)を作動させることを特徴とする請求項１又は２に記載のペット用のドア開閉装置。
【発明の詳細な説明】
【技術分野】
【０００１】
この発明は、犬や猫などのペットが部屋の出入りを自由にできるようにするためのドア開閉装置に関するものである。
【背景技術】
【０００２】
例えば、開き戸のドアを完全に開放することなく、家屋内で飼われている犬や猫などのペットが部屋の出入りを自由にできるようにするため、下記特許文献１では、図１１に示すようなペット用ドアパネルが提案されている。
【０００３】
このペット用ドアパネルは、ドアＤの戸先側に対応して設置されるものであり、ドアＤとほぼ同等の高さを有する縦長の遮蔽パネル５１と、その一側部を回動可能に支持する伸縮可能な支柱５２とから構成され、遮蔽パネル５１の下端部には、吊下式の蓋板５３ａを有するペット出入口５３が備えられている。
【０００４】
上記ペット用ドアパネルの設置に際しては、ドア枠の両側の立枠Ｖ１，Ｖ２のうち、ドアＤの戸先寄りに対応する一側の立枠Ｖ１に近接して、支柱５２を床面と天井の間に突っ張るように直立させて固定する。
【０００５】
そして、ドアＤを出入口の一側の立枠Ｖ１から離れるように少し開き、遮蔽パネル５１の他側部をドアＤの戸先寄りの表面に当接させて、ドアＤの戸先と立枠Ｖ１の間を遮蔽する。これにより、部屋の内側と外側は、ドアＤの戸先側での通風が遮断され、互いに容易に視認できないように仕切られる。
【０００６】
このように遮蔽しても、ペットは、吊下式の蓋板５３ａを押して揺動させつつ、ペット出入口５３を介して部屋の出入りを自由にできる。
【０００７】
また、遮蔽パネル５１を鎖線で示すように回動させ、出入口の側方の壁面に沿わせておくと、遮蔽パネル５１に妨げられることなく、ドアＤを完全に閉じることができ、遮蔽パネル５１が出入口付近に迫り出して煩わしく感じられることもない。
【先行技術文献】
【特許文献】
【０００８】
【特許文献１】特開２００２−１１５４６１号公報
【発明の概要】
【発明が解決しようとする課題】
【０００９】
しかしながら、上記のようなペット用ドアパネルは、大きな遮蔽パネル５１を良質の材料で仕上げた場合、高価なものとなるため、購入者層が限られるという問題があるほか、設置に際して、床面と天井の間に及ぶ長い支柱５２を直立させるのが難しく、設置作業に手間取る恐れがある。
【００１０】
また、遮蔽状態でもドアＤの戸先側が立枠Ｖ１から離れているため、出入口の上部とドアＤとの間に隙間が生じ、室内に隙間風が吹き込んだり、室内の冷暖房効率が低下したりするという問題を完全には解消できない。
【００１１】
そこで、この発明は、比較的安価で容易に取り付けることができ、隙間風の吹込みや冷暖房効率の低下を防止できるペット用のドア開閉装置を提供することを課題とする。
【課題を解決するための手段】
【００１２】
上記課題を解決するため、この発明に係るペット用のドア開閉装置は、開き戸のドアを備えた出入口の両側上部間に突っ張るように架設する装置本体と、ドアの回動軸から離れた位置の上部に跨らせるように載せるワイヤー引掛具と、前記装置本体とワイヤー引掛具を繋ぐワイヤーとから成り、
前記装置本体には、ドアの戸先寄りに対応する部分に位置するプッシュステーと、前記ワイヤーに引張力を付与する引張ばねと、前記引張ばねの引張力による前記ワイヤーの引き込み量を増大させる引込量拡大機構と、前記ワイヤーの引き込みに伴うドアの閉止速度を緩速化する緩速化機構とが備えられ、
前記プッシュステーの押込後のドアの開放方向への反発力は、前記ワイヤーの引込力よりも大きく設定されているものとしたのである。
【００１３】
また、前記引込量拡大機構は、一列に並ぶ複数個のプーリーのそれぞれの大径部と小径部にワイヤーを段階的に巻き掛けた構成としたのである。
【００１４】
さらに、前記緩速化機構は、揺動自在のアームとダンパーとから成り、ドアの開度が所定角度より小さい範囲で、前記アームの先端部がドアの表面に当接し、前記アームの基部が前記ダンパーを作動させるものとしたのである。
【発明の効果】
【００１５】
この発明に係るペット用のドア開閉装置は、装置本体を出入口の両側上部間に架設し、ワイヤー引掛具をドアの上部に跨らせるように載せ、装置本体とワイヤー引掛具をワイヤーで繋ぐだけで、簡単に取付作業が完了する。
【００１６】
また、美装仕上げを要する大きなパネルを構成部材としないので、比較的安価なものとすることができる。
【００１７】
そして、開き戸へ取り付けた状態でドアを閉めたとき、プッシュステーに当接したドアの戸先を、出入口の立枠の奥行の範囲内に収めることができるので、隙間風の吹込みや冷暖房効率の低下を防止できる。
【図面の簡単な説明】
【００１８】
【図１】この発明に係るペット用のドア開閉装置を取り付けた開き戸のドアを閉めた状態をドア開放方向の反対側から示す出入口の内外の一側から示す斜視図
【図２】同上のドアを閉めた状態をドア開放方向の上方から示す斜視図
【図３】同上のペットがドアを押した状態を示す斜視図
【図４】同上のドアが半開きとなってペットが通り抜ける状態を示す斜視図
【図５】同上のドアが閉まる過程を示す斜視図
【図６】同上のドアが大きく開いて人が出入りする状態を示す斜視図
【図７】同上の開き戸の（７Ａ）図２に対応するドアが閉じた状態、（７Ｂ）図３に対応するドアが押し込まれた状態、（７Ｃ）図４に対応するドアが半開きとなった状態、（７Ｄ）図６に対応するドアが大きく開いた状態をそれぞれ示す平面図
【図８】同上の装置本体を示す（８Ａ）平面図、（８Ｂ）（８Ａ）のＩ−Ｉ断面図、（８Ｃ）（８Ａ）のII−II断面図
【図９】同上の引込量拡大機構におけるワイヤーの巻掛状態を示す（９Ａ）拡大平面図、（９Ｂ）拡大正面図
【図１０】同上のワイヤー引掛具のドアへの取付状態を示す（１０Ａ）平面図、（１０Ｂ）背面図、（１０Ｃ）側面図
【図１１】特許文献１に記載のペット用ドアパネルの設置状態を示す斜視図
【発明を実施するための形態】
【００１９】
以下、この発明の実施形態を添付図面に基づいて説明する。
【００２０】
図１及び図２に示すように、このドア開閉装置は、開き戸のドアＤを備えた出入口の上部に取り付けるものであり、図７に示すように、長さ方向を出入口の幅方向へ向けて、両側の立枠Ｖ１，Ｖ２の上部間に突っ張るように架設する装置本体１と、ドアＤの回動軸から離れた位置の上部に跨らせるように載せるワイヤー引掛具２と、装置本体１とワイヤー引掛具２に引っ掛けてこれらを繋ぐワイヤー３とから構成される。
【００２１】
図８に示すように、装置本体１は、四角筒状の梁体１０に各機構の主要部を内蔵しており、ドアＤの戸先寄りに対応する部分に位置するプッシュステー１１と、ワイヤー３に引張力を付与する引張ばね１２と、引張ばね１２の引張力によるワイヤー３の引き込み量を増大させる引込量拡大機構１３と、ワイヤー３の引き込みに伴うドアＤの閉止速度を緩速化する緩速化機構１４とを備えている。
【００２２】
梁体１０は、外カバー１０ａと筐体１０ｂ１、１０ｂ２とから成る二重構造とされ、一方の筐体１０ｂ１は短く、他方の筐体１０ｂ２は長くなっている。短い筐体１０ｂ１の内端壁には、長い筐体１０ｂ２へ向かう寸切りボルト４が固定され、外カバー１０ａは、筐体１０ｂ１、１０ｂ２に対して長さ方向にスライドするようになっている。
【００２３】
筐体１０ｂ１、１０ｂ２の間において、寸切りボルト４には、取付時の押圧力調整用のハンドル５が螺合しており、ハンドル５と筐体１０ｂ２の間には、ばね定数が大きい圧縮ばね６が介在し、筐体１０ｂ１に対して筐体１０ｂ２が離反する方向へ付勢されている。
【００２４】
筐体１０ｂ１、１０ｂ２のそれぞれの外端壁には、先端が円盤部となった押当片７が設けられている。押当片７の円盤部の表面には、滑止用のゴムが貼られている。
【００２５】
プッシュステー１１は、装置本体１の長さ方向に直交し、筐体１０ｂ１に埋設するように固定された基体部１１ａに対してロッド１１ｂが出没するものである。そして、基体部１１ａからロッド１１ｂが突出した状態で、ロッド１１ｂが基体部１１ａに押し込まれると、ロッド１１ｂが基体部１１ａに内蔵されたばねの反発力により、基体部１１ａから大きく突出するようになっている。
【００２６】
引張ばね１２は、筐体１０ｂ２の内部に設けられ、その両端部が筐体１０ｂ２の端壁側と引込量拡大機構１３のワイヤー３とに接続されている。引張ばね１２によるワイヤー３の引張力は、ばね受具１２ａに螺合するねじ軸１２ｂに螺合した調整ツマミ１２ｃを回すことにより、調整できるようになっている。
【００２７】
引込量拡大機構１３は、図９に示すように、筐体１０ｂ２の内部で装置本体１の長さ方向に一列に並ぶ２個のプーリー１３ａ，１３ｂを備え、これらのプーリー１３ａ，１３ｂは、それぞれに設けられた大径部１３ａ１，１３ｂ１と小径部１３ａ２，１３ｂ２とが上下互い違いになるように配置されている。
【００２８】
そして、一端が引張ばね１２に接続されたワイヤー３の他端側は、引張ばね１２に近いプーリー１３ａの小径部１３ａ２に巻き掛けられている。
【００２９】
また、次の段階として、引張ばね１２に近いプーリー１３ａの大径部１３ａ１にワイヤー３の一端側が巻き掛けられ、このワイヤー３の他端側は、引張ばね１２から遠いプーリー１３ｂの小径部１３ｂ２に巻き掛けられている。
【００３０】
さらに、次の段階として、引張ばね１２から遠いプーリー１３ｂの大径部１３ｂ１にワイヤー３の一端側が巻き掛けられ、このワイヤー３の他端側は、プッシュステー１１と同方向へ向きを変えられて、梁体１０の外部に引き出され、先端部にワイヤー引掛具２に繋ぐワイヤー３を接続するための接続具３ａが取り付けられている。
【００３１】
また、図８に示すように、緩速化機構１４は、筐体１０ｂ２の内部の回転軸８を中心に揺動するように支持されて梁体１０の外側へ延びるアーム１４ａと、筐体１０ｂ２の内部に設けられたダンパー１４ｂとから成り、アーム１４ａの基部がダンパー１４ｂを作動させるようになっている。
【００３２】
アーム１４ａは、捩りコイルばね１４ｃにより迫り出す方向に付勢され、アーム１４ａの先端部には、ドアＤの開閉に伴い、ドアＤの表面に押し付けられて接触回動するローラー１４ｄが設けられている（図７（７Ｃ）参照）。
【００３３】
この装置本体１において、プッシュステー１１の反発力は、約１１．７６Ｎとされ、引張ばね１２の引張力は、約３５〜８０Ｎとされている。そして、引込量拡大機構１３によるワイヤー３の引込力は、プッシュステー１１の反発力より小さくなるように、約１．９６〜４．９Ｎとされている。
【００３４】
一方、図１０に示すように、ワイヤー引掛具２は、ドアＤの上部に跨る抱持部材２１の背面に上下２個のフック２２が互いに左右逆方向に向くように設けられ、抱持部材２１の正面に設けられた２個の締付ねじ２３の締め付けに伴い押付板２４が前進し、抱持部材２１と押付板２４の間にドアＤを挟み込むことにより、ドアＤに固定されるものである。
【００３５】
また、抱持部材２１及び押付板２４とドアＤの各表面の間には、それぞれ傷防止用のゴム製の保護シート２５が介在すると共に、押付板２４とドアＤの表面の間には、間隔調整用のゴム製のスペーサー２６が挟まれるようになっている。
【００３６】
上記のようなドア開閉装置を開き戸に取り付けるには、図１及び図２に示すように、開き戸のドアＤの開放方向とは反対側において、長さ方向に押し縮めた装置本体１を、反発により伸長させ、両端の押当片７を出入口の立枠Ｖ１，Ｖ２の上部にそれぞれ押し当てることにより、立枠Ｖ１，Ｖ２の上部間に突っ張るように架設する。
【００３７】
また、ワイヤー引掛具２を、ドアＤの戸尻側の回動軸から離れた位置の上部に跨らせるように載せ、図１０に示すように、締付ねじ２３を回して、ドアＤを挟み込んだ状態で締め付けることにより、ドアＤに固定する。
【００３８】
そして、装置本体１から引き出したワイヤー３の先端の接続具３ａを、ドアＤの左右の勝手に応じて、ワイヤー引掛具２の上下２個のフック２２のうち、いずれかに引っ掛けることにより、装置本体１とワイヤー引掛具２とを繋ぐ。
【００３９】
この場合、ドアＤが装置本体１の取付側から見て右丁番である場合には、左側が開放されたフック２２にワイヤー３の接続具３ａを引っ掛け、ドアＤが装置本体１の取付側から見て左丁番である場合には、右側が開放されたフック２２にワイヤー３の接続具３ａを引っ掛けるようにすると、ドアＤの開閉時にワイヤー３の接続具３ａが外れにくい。
【００４０】
上記のようなドア開閉装置は、ドアＤの戸先側に遮蔽パネルを設ける従来のペット用ドアパネルのように、美装仕上げを要する大きなパネルを構成部材としないので、比較的安価に提供することができる。
【００４１】
また、開き戸への取付作業を簡単に行うことができ、ドアＤや立枠Ｖ１，Ｖ２に穴開け加工等を施す必要がなく、建具や壁面を傷つけることがないので、賃貸住宅にも取り付けることができる。
【００４２】
また、引込量拡大機構１３の２個のプーリー１３ａ，１３ｂが装置本体１の長さ方向に一列に並び、それらの大径部１３ａ１，１３ｂ１と小径部１３ａ２，１３ｂ２にワイヤー３が段階的に巻き掛けられていることから、装置本体１が細長いものとなり、開き戸への取付状態において、立枠Ｖ１，Ｖ２の幅の範囲内に体裁よく収めることができる。
【００４３】
さらに、装置本体１が万一落下した場合には、ドアＤの上部からワイヤー３を介してぶら下がるので、出入口を通る人ＨやペットＰに当たる危険性はほとんどなく、床面を傷つける恐れもない。
【００４４】
上記のようなドア開閉装置を取り付けた開き戸において、図１、図２及び図７（７Ａ）に示すように、ドアＤを閉めると、プッシュステー１１の基体部１１ａから突出したロッド１１ｂの先端がドアＤの開放方向とは反対側の表面に当接する。
【００４５】
この状態では、ドアＤを戸先のラッチボルトが立枠Ｖ１の凹部に嵌合するまで完全に閉じることはできないが、ドアＤの戸先を立枠Ｖ１の奥行の範囲内に収めることができるので、隙間風の吹込みや冷暖房効率の低下を防止できる。
【００４６】
そして、図３及び図７（７Ｂ）に示すように、ペットＰがドアＤの開放方向の表面を押すと、プッシュステー１１の基体部１１ａにロッド１１ｂが押し込まれる。
【００４７】
この押し込みに伴い、プッシュステー１１のロッド１１ｂが反発して基体部１１ａから突出し、図４及び図７（７Ｃ）に示すように、ドアＤの戸先側がロッド１１ｂにより突き放され、ドアＤが半開き状態となり、この状態に気付いたペットＰは、ドアＤの戸先と立枠Ｖ１の間をドアＤの開放方向とは反対側へ通り抜けることができる。
【００４８】
なお、半開き状態となったドアＤは、図５に示すように、引張ばね１２の引張力に抗して引込量拡大機構１３から引き出されたワイヤー３により引っ張られ、その引張力で閉まり始める。このとき、緩速化機構１４の作用により、ドアＤはゆっくりと閉まるので、ペットＰがドアＤの戸先側と立枠Ｖ１の間に挟まれる事態が防止される。
【００４９】
上記作用例では、ペットＰがドアＤの開放方向から反対側へ通り抜ける場合について例示したが、これとは逆に、ドアＤの開放方向とは反対側にいるペットＰは、ドアＤの開放方向とは反対側の表面を押すだけで、ドアＤが開くので、ドアＤの戸先と立枠Ｖ１の間を容易に通り抜けることができる。
【００５０】
一方、図６及び図７（７Ｄ）に示すように、開き戸の出入口を飼い主等の人Ｈが出入りする際には、ワイヤー３が最大限度近くまで大きく引き出されることにより、ドアＤを大きく開くことができるので、障害物に煩わされることなく通ることができる。このとき、ドアＤの開度が所定角度より大きくなると、アーム１４ａの先端のローラー１４ｄがドアＤの表面から離れる。
【００５１】
その後、ドアＤは、ワイヤー３に引っ張られて閉まり、図１、図２及び図７（７Ａ）に示す状態に復帰する。このとき、ドアＤの開度が所定角度より小さくなると、アーム１４ａの先端のローラー１４ｄがドアＤの表面に当接して、アーム１４ａの基部がダンパー１４ｂを作動させ、ドアＤはゆっくりと閉まり、大きな衝撃音が発生することがない。
【符号の説明】
【００５２】
１  装置本体
２  ワイヤー引掛具
３  ワイヤー
３ａ  接続具
４  寸切りボルト
５  ハンドル
６  圧縮ばね
７  押当片
８  回転軸
１０  梁体
１０ａ  外カバー
１０ｂ１、１０ｂ２  筐体
１１  プッシュステー
１１ａ  基体部
１１ｂ  ロッド
１２  引張ばね
１２ａ  ばね受具
１２ｂ  ねじ軸
１２ｃ  調整ツマミ
１３  引込量拡大機構
１３ａ，１３ｂ  プーリー
１３ａ１，１３ｂ１  大径部
１３ａ２，１３ｂ２  小径部
１４  緩速化機構
１４ａ  アーム
１４ｂ  ダンパー
１４ｃ  捩りコイルばね
１４ｄ  ローラー
２１  抱持部材
２２  フック
２３  締付ねじ
２４  押付板
２５  保護シート
２６  スペーサー
Ｄ  ドア
Ｈ  人
Ｐ  ペット
Ｖ１，Ｖ２  立枠
【図１】
2019085701.tif 000003
【図２】
2019085701.tif 000004
【図３】
2019085701.tif 000005
【図４】
2019085701.tif 000006
【図５】
2019085701.tif 000007
【図６】
2019085701.tif 000008
【図７】
2019085701.tif 000009
【図８】
2019085701.tif 000010
【図９】
2019085701.tif 000011
【図１０】
2019085701.tif 000012
【図１１】
2019085701.tif 000013